(57)【特許請求の範囲】
【請求項１】
スチーム発生用のボイラーと、ボイラーで生じたスチームを噴霧させると共に給水タンクから供給される吸入液を噴霧させるノズル部と、のど・鼻両用の１つの吸入アタッチメントとを備え、ノズル部からのスチームを上記吸入アタッチメントを用いてのど又は鼻から吸入できるようにしたスチーム式吸入器であって、吸入アタッチメント内にスチーム噴霧方向を制限するための遮蔽板を配置し、この遮蔽板は、ノズル部に近い位置に配置される第１の遮蔽板と、吸入アタッチメントの吸入部に近い位置に配置される第２の遮蔽板とからなると共に、第１の遮蔽板と第２の遮蔽板とをスチーム噴霧方向においてずれた位置に配置し且つスチーム噴霧方向からみて互いに交差するように配列してなり、第２の遮蔽板は、スチーム噴霧方向と垂直に配置されて開口部が穿設され、第２の遮蔽板の外周部に吸入アタッチメントの外周前端部に支持される支持部と、人体の口及び鼻の周辺部にフィットする顔当て部とが一体に構成されてなることを特徴とするスチーム式吸入器。
【請求項２】
第１の遮蔽板と第２の遮蔽板とをスチーム噴霧方向からみて互いに直角に配列してなることを特徴とする請求項１記載のスチーム式吸入器。
【請求項３】
第１の遮蔽板が、のど・鼻の噴霧切替用として可動自在に構成されていることを特徴とする請求項１又は請求項２記載のスチーム式吸入器。
【請求項４】
第２の遮蔽板に、人体ののど及び鼻の開口部形状とそれぞれ略同形状の開口部を複数形成したことを特徴とする請求項１記載のスチーム式吸入器。
【請求項５】
第２の遮蔽板に、人体ののど及び鼻の開口部範囲に対応する１つの開口部を形成したことを特徴とする請求項１記載のスチーム式吸入器。
【請求項６】
吸入アタッチメントの側壁部にスチーム逃がし用開口を形成したことを特徴とする請求項１記載のスチーム式吸入器。
【請求項７】
第２の遮蔽板が、過剰なスチームをスチーム逃がし用開口に誘導する方向に向けられていることを特徴とする請求項６記載のスチーム式吸入器。
【請求項８】
第２の遮蔽板に、人体の唾液や過剰なスチーム等を吸入器内の排水カップに戻すための唾液用開口部を形成したことを特徴とする請求項４記載のスチーム式吸入器。
【請求項９】
第２の遮蔽板を吸入アタッチメントに着脱自在に取り付けたことを特徴とする請求項４記載のスチーム式吸入器。
【請求項１０】
第１の遮蔽板をノズル部から噴霧されるスチーム噴霧方向と略平行に配置したことを特徴とする請求項３記載のスチーム式吸入器。
【請求項１１】
第１の遮蔽板に、人体の口の方向にスチームが噴霧されるのを防止するための第３の遮蔽板を付設したことを特徴とする請求項３記載のスチーム式吸入器。
【発明の詳細な説明】
【０００１】
【発明の属する技術分野】
本発明は、人体の呼吸器系に生じた炎症の治療等に用いられるスチーム式吸入器に関するものである。
【０００２】
【従来の技術】
従来より、スチーム発生用のボイラーと、ボイラーで生じたスチームと給水タンクから供給される吸入液とを噴霧させるノズル部とを備えると共に、ノズル部からのスチームを吸入アタッチメントを用いて吸入者ののど又は鼻から吸入できるようにしたスチーム式吸入器が知られている。
【０００３】
その一例として、図１０に示すように、のど専用の吸入アタッチメント５ａと鼻専用の吸入アタッチメント５ｂとを付け替えて使用するものが知られている。
【０００４】
また図１１及び図１２に示すように、１つの吸入アタッチメント５′でのど・鼻両用できるようにしたものが知られている。吸入アタッチメント５′内のノズル部３の近傍位置には、のど・鼻切替レバー１６によって回動自在となっているのど・鼻噴霧切替板１５が設けられており、該のど・鼻噴霧切替板１５によって図１２に示すのど噴霧時におけるスチーム噴霧範囲イと、図１３に示す鼻噴霧時におけるスチーム噴霧範囲ロとがそれぞれ得られるようになっている。
【０００５】
【発明が解決しようとする課題】
ところが、図１０のスチーム式吸入器１′では、のどと鼻の切替を２種類の吸入アタッチメント５ａ，５ｂを付け替えることによって実現しているため、吸入アタッチメント５ａ，５ｂの付け替えが面倒となり、使用性に劣り、そのうえコスト高となり、経済性の面でも問題があった。
【０００６】
一方、図１１〜図１３のスチーム式吸入器１″では、１種類の吸入アタッチメント５′で容易にのど・鼻の噴霧切替を実現できるが、スチームの噴霧範囲を制限、拘束するためののど・鼻噴霧切替板１５をノズル部３に近い１箇所のみに設けた構造であるため、人体が吸入を行う位置においては図１２のイ、図１３のロで示すように、ノズル部３から遠去かる程スチームが拡散して、吸入部位（のど又は鼻）以外にスチームが拡がり、不必要な部位にスチームが付着して吸入者に不快感を与えていた。またこのような不必要な部位へのスチームの噴霧は、噴霧効率においても問題があった。
【０００７】
本発明は上記の点に鑑みてなされたものであり、その目的とするところは、人体の吸入を行うのど及び鼻の開口部形状に合った必要範囲内でのみ、効果的にスチームを噴霧供給することができ、しかも吸入時における吸入者の吸入部位以外にスチームが付着するという不快感も同時になくすことができ、使用性と経済性の両方を向上させることができるスチーム式吸入器を提供するにある。
【０００８】
【課題を解決するための手段】
上記課題を解決するために、本発明は、スチーム発生用のボイラー２と、ボイラー２で生じたスチームを噴霧させると共に給水タンクから供給される吸入液を噴霧させるノズル部３と、のど・鼻両用の１つの吸入アタッチメント５とを備え、ノズル部３からのスチームを上記吸入アタッチメント５を用いてのど又は鼻から吸入できるようにしたスチーム式吸入器であって、吸入アタッチメント５内にスチーム噴霧方向Ａを制限するための遮蔽板を配置し、この遮蔽板は、ノズル部３に近い位置に配置される第１の遮蔽板６と、吸入アタッチメント５の吸入部１２に近い位置に配置される第２の遮蔽板７とからなると共に、第１の遮蔽板６と第２の遮蔽板７とをスチーム噴霧方向Ａにおいてずれた位置に配置し且つスチーム噴霧方向Ａからみて互いに交差するように配列してなり、第２の遮蔽板７は、スチーム噴霧方向Ａと垂直に配置されて開口部８が穿設され、第２の遮蔽板の外周部に吸入アタッチメント５の外周前端部に支持される支持部２１と、人体の口及び鼻の周辺部にフィットする顔当て部４０とが一体に構成されてなることを特徴としており、このように構成することで、ノズル部３に近い位置と吸入アタッチメント５の吸入部１２に近い位置との両方でスチーム噴霧方向Ａが制限されるので、人体の吸入を行うのど及び鼻の開口部形状に合った必要範囲内でのみ、効果的にスチームを噴霧供給することができ、しかも人体が吸入を行う位置におけるスチームの拡散を防止できるので、吸入部位以外にスチームが付着するという不快感も同時になくすことができ、さらに不必要範囲へのスチームの噴霧を行わないことにより、噴霧効率を向上させることができる。
【０００９】
また上記第１の遮蔽板６と第２の遮蔽板７とをスチーム噴霧方向Ａからみて互いに直角に配列してなるのが好ましく、この場合、第１の遮蔽板６と第２の遮蔽板７とで遮蔽される開口部形状が、スチーム噴霧方向Ａからみて四角形状に形成されるようになり、この四角形状の開口部８から人体ののど及び鼻の必要な部位にスチームを偏りなく噴霧させることができる。
【００１０】
また上記第１の遮蔽板６が、のど・鼻の噴霧切替用として可動自在に構成されているのが好ましく、この場合、第１の遮蔽板６を可動させることで、スチーム噴霧方向Ａを吸入者ののど又は鼻の方向に切替えて噴霧可能となる。
【００１１】
また上記第２の遮蔽板７に、人体ののど及び鼻の開口部形状とそれぞれ略同形状の開口部８を複数形成するのが好ましく、この場合、人体ののど及び鼻の開口部形状に合った必要範囲内のみでスチームを噴霧させることができると共に、のど又は鼻以外の不必要な部位へのスチームの噴霧，付着を防止することができる。
【００１２】
また上記第２の遮蔽板７に１つの開口部８ｃを形成し、この開口部８ｃが人体ののど及び鼻の開口部形状と略同形状に形成されているのが好ましく、この場合、第２の遮蔽板７の開口部８ｃを人体ののど及び鼻の開口部形状と略同形状に形成することによって、吸入者の口（のど）と鼻の位置が人により異なるという個人差に対応できるようになる。
【００１３】
また上記吸入アタッチメント５の側壁部５ａにスチーム逃がし用開口１１を形成するのが好ましく、この場合、第２の遮蔽板７によって遮蔽される不要なスチームを吸入アタッチメント５の側壁部５ａに設けたスチーム逃がし用開口１１から外部に誘導，排気させることができ、従って、不要なスチームが吸入アタッチメント５内に溜まらなくなり、吸入アタッチメント５内のスチーム乱流によって引き起こされるスチームの噴霧状態の乱れ（例えば噴霧温度の乱れ、噴霧の方向性の乱れ等）の発生を防止できる。
【００１４】
また上記第２の遮蔽板７が、過剰なスチームをスチーム逃がし用開口１１に誘導する方向に向けられているのが好ましく、この場合、第２の遮蔽板７の開口部８より噴出されない不要なスチームを第２の遮蔽板７の開口部８以外の部位を利用してスチーム逃がし用開口１１に誘導して、吸入アタッチメント５の外部に排気させることができ、噴霧状態の乱れを容易に防止できるようになる。
【００１５】
また上記第２の遮蔽板７に、人体の唾液や過剰なスチーム等を吸入器内の排水カップ９に戻すための唾液用開口部１０を形成するのが好ましく、この場合、過剰なスチームが吸入者の顔に当たって流れ落ちる水滴や人体より排出される唾液等を唾液用開口部１０から排水することができ、快適に使用できるようになる。
【００１６】
また上記第２の遮蔽板７を吸入アタッチメント５に着脱自在に取り付けるのが好ましく、この場合、第２の遮蔽板７を着脱可能な別部品で構成することができ、第２の遮蔽板７を取り外して吸入アタッチメント５内部の洗浄が可能となる。
【００１７】
また上記第１の遮蔽板６をノズル部３から噴霧されるスチーム噴霧方向Ａと略平行に配置するのが好ましく、この場合、特にのど噴霧時において、第１の遮蔽板６によるノズル部３から噴霧するスチームの噴霧量の低下及び噴霧流速の低下を防ぐことができる。
【００１８】
また上記第１の遮蔽板６に、人体の口の方向にスチームが噴霧されるのを防止するための第３の遮蔽板１３を付設するのが好ましく、この場合、例えば鼻噴霧時において、第１の遮蔽板６で遮蔽されずに吸入者の口の方向にまわりこむスチームを第３の遮蔽板１３によって遮蔽でき、鼻噴霧時において吸入者の口（のど）の方向へのスチームの流出を防止できる。
【００１９】
【発明の実施の形態】
以下、本発明の実施の形態を説明する。
【００２０】
本実施形態のスチーム式吸入器１は、のど及び鼻の両患部に対して噴霧治療を行うために用いられ、本体４内部に設けられるスチーム発生用のボイラー２と、ボイラー２で生じたスチームを噴霧させると共に給水カップから供給される吸入液を噴霧させるノズル部３とで主体が構成されている。本体４のノズル部３に面して、のど・鼻両用の１つの吸入アタッチメント５が装着されており、ノズル部３からのスチームを１つの吸入アタッチメント５を用いてのど又は鼻から吸入できるようになっている。
【００２１】
吸入アタッチメント５内の２箇所に、図１に示すように、スチーム噴霧方向Ａを制限するための遮蔽板が配置されている。この遮蔽板は、ノズル部３に近い位置に配置される第１の遮蔽板６と、吸入アタッチメント５の吸入部１２に近い位置に配置される第２の遮蔽板７とからなり、第１の遮蔽板６と第２の遮蔽板７とをスチーム噴霧方向Ａにおいてずれた位置に配置し且つスチーム噴霧方向Ａからみて斜めに交差するように配列してある。
【００２２】
ここで、第１の遮蔽板６は、スチーム噴霧方向Ａと平行に配置された固定板１４と、固定板１４に対向配置されたのど・鼻噴霧切替板１５とからなり、のど・鼻切替レバー１６の回動操作によってのど・鼻噴霧切替板１５を吸入者の口（のど）の方向に向いた状態（図１の状態）と、吸入者の鼻の方向に向いた状態（図４の状態）とに方向変換自在とされている。これにより、固定板１４とのど・鼻噴霧切替板１５との間をスチームが通過する際にスチームの噴霧方向が制限、拘束されるようになっている。
【００２３】
一方、第２の遮蔽板７は、吸入者がスチームを吸入する位置に、スチーム噴霧方向Ａと垂直に配置され、第２の遮蔽板の外周部に吸入アタッチメント５の外周前端部に支持される断面略Ｕ字状の支持部２１と、人体の口及び鼻の周辺部にフィットする顔当て部４０とが一体に構成されている。第２の遮蔽板７には、人体の口、鼻の範囲と略同じ大きさの開口部８が穿設されている。図２に示す実施形態では、開口部８はスチーム噴霧方向Ａからみて横長矩形状に形成されており、さらに、第１の遮蔽板６（固定板１４、のど・鼻噴霧切替板１５）の開口部８と第２の遮蔽板７の開口部８′とが重なる開口部形状が、スチーム噴霧方向Ａからみて略菱形形状となるように、第１の遮蔽板６と第２の遮蔽板７とがスチーム噴霧方向Ａからみて斜めに交差して配列されており、この重なった菱形形状の開口部（図２の斜線で示す部分）より人体ののど及び鼻の必要な部位にスチームを効率良く噴霧できるようにしてある。
【００２４】
また、のど・鼻噴霧切替板１５には、人体の口の方向にスチームが噴霧されるのを防止するための第３の遮蔽板１３が付設されているのが好ましい。図４に示す実施形態では、のど・鼻の噴霧切替用の回動可能な第１の遮蔽板６の最下部から、人体の口の方向（図４の矢印ニで示す方向）にスチームが噴霧されるのを防止できるように第３の遮蔽板１３が一体に突設されている。尚、第３の遮蔽板１３は第１の遮蔽板６の内側には突出していないので、遮蔽板６，７によるスチーム噴霧方向Ａの制限、拘束作用には影響しないものである。
【００２５】
しかして、ノズル部３の位置と吸入者が吸入する位置との間に、スチームの噴霧範囲を制限、拘束するための第１及び第２の遮蔽板６，７をスチーム噴霧方向Ａに間隔をあけた２箇所に且つスチーム噴霧方向Ａからみて互いに交差するように配列したことにより、第１の遮蔽板６によってノズル部３からのスチーム噴霧方向Ａが制限され、さらに吸入アタッチメント５の吸入部１２に近い位置に配置された第２の遮蔽板７によってスチーム噴霧方向Ａが制限されることとなる。このように、吸入者がスチームを吸入する位置でもスチーム噴霧方向Ａが制限されるので、２つの遮蔽板により制限、拘束されない範囲内でスチームが効率良く噴霧して吸入者に提供されるようになる。従って、従来のような人体が吸入を行う位置におけるスチームの拡散を防止でき、吸入部位（のど又は鼻）以外にスチームが拡がることがなく、不必要な部位へのスチームの噴霧をなくして快適な使用ができるようになる。また、のど・鼻噴霧切替板１５のみを回動させるだけで、スチーム噴霧方向Ａを吸入者ののど又は鼻の方向のいずれかに切替えて噴霧することができるので、不必要なスチームの噴霧をなくすことができ、噴霧効率が向上し、この結果、使用性と経済性の両方を向上させることができるものである。
【００２６】
しかも、鼻用噴霧時には、第１の遮蔽板６の下部から外方に突出させた第３の遮蔽板１３によって、第１の遮蔽板６の下側から吸入者の口の方向（図４の矢印ニで示す方向）にスチームがまわり込むのが防がれるので、鼻噴霧時に吸入者の口の方向へのスチームの流出を防止でき、より快適に使用できるものとなる。
【００２７】
なお、上記実施形態ではスチーム噴霧方向Ａからみて斜めに交差するように第１の遮蔽板６と第２の遮蔽板７とを配置したが、必ずしもこれに限られず、例えば図３（ａ）のように第１の遮蔽板６と第２の遮蔽板７とをスチーム噴霧方向Ａからみて互いに直角に配列してもよいものである。この場合、第１の遮蔽板６の開口部８と第２の遮蔽板７の開口部８とが重なる開口部形状が、スチーム噴霧方向Ａからみて四角形状に形成されるようになり、人体ののど及び鼻の必要な部位にスチームを偏りなく、まんべんに噴霧できるようになる。
【００２８】
図３（ｂ）は第２の遮蔽板７に、人体ののど及び鼻の開口部形状とそれぞれ略同形状の開口部８ａ，８ｂを複数形成した場合を示している。本実施形態では、第２の遮蔽板７には、のど吸入用となる大径の開口部８ｂと鼻吸入用となる小径の２つの開口部８ａとが別々に形成されている。これにより、のど又は鼻以外の不必要な部位へのスチームの噴霧，付着を防止することができ、吸入者に不快感を与えず、効率的に噴霧できるようになる。なお、開口部８ａ，８ｂの数は必ずしも３つに限られるものではなく、例えば鼻吸入用となる小径の２つの開口部８ａを１つの横長の開口部で形成してもよいものである。
【００２９】
図３（ｃ）は第２の遮蔽板７に、人体ののど及び鼻の開口部範囲に対応する１つの開口部８ｃを形成した場合を示している。この場合、人体ののど及び鼻の開口部形状に合った必要範囲内のみでスチームを噴霧させることができるようになり、しかも、人体の口及び鼻の開口部範囲と略同形状の１つの開口部８ｃを形成したことによって、吸入者の口と鼻の位置が人により異なるという個人差にも十分に対応できるようになる。従って、吸入者が吸入位置を調節したり、第２の遮蔽板７に形成された開口部８に顔の位置を合わせたりする必要性を低減できる。つまり、第２の遮蔽板７に対して吸入者の顔が多少ずれても、のど及び鼻の位置が該開口部８ｃから外れにくくなり、一層使い易くなる。
【００３０】
図５は、のど・鼻両用の吸入アタッチメント５の側壁部５ａにスチーム逃がし用開口１１を形成した場合を示している。これにより、第２の遮蔽板７によって遮蔽された不要なスチームを矢印トで示すように、吸入アタッチメント５の側壁部５ａに設けたスチーム逃がし用開口１１から外部に誘導，排気させることができる。ちなみに、不要なスチームが吸入アタッチメント５内に溜まると、吸入アタッチメント５内のスチーム乱流によって引き起こされるスチームの噴霧状態の乱れ（例えば噴霧温度の乱れ、噴霧の方向性の乱れ等）が生じ易くなるが、不要なスチームをスチーム逃がし用開口１１から逃がすことにより、かかる噴霧状態の乱れをなくすことができる。
【００３１】
また、図６に示すように、第２の遮蔽板７が、過剰なスチームをスチーム逃がし用開口１１に誘導する方向に向けられているのが好ましい。他の構成は図５と同様である。本実施形態では、第２の遮蔽板７の断面形状が側方からみて逆ハ字状に形成されており、これにより、第２の遮蔽板７の開口部８から噴出されない不要なスチームを図６（ａ）の矢印チで示すように、第２の遮蔽板７の傾斜した裏面に沿ってスチーム逃がし用開口１１に誘導して、吸入アタッチメント５の外部に排気させることにより、上記のようなスチームの噴霧状態の乱れを防止する効果をより高めることができる。
【００３２】
図７は、第２の遮蔽板７の最下部に、開口部８とは別に、人体の唾液や過剰なスチーム等を吸入器内の排水カップ９に戻すための小孔状の唾液用開口部１０を形成した場合を示している。本体４内には、吸入液を供給する給水カップ、吸入器外部に噴霧されないスチームや人体より排出される唾液等を溜める排水カップ９、ボイラー２の過給水及びボイラー２安全弁動作時の排水を受ける排水受け皿等が収納されている。これら給水カップと排水カップ９と排水受け皿とが一体部品で構成されているのが好ましい。しかして、過剰なスチームが吸入者の顔に当たって流れ落ちる水滴や人体より排出される唾液等は、開口部８とは別に、第２の遮蔽板７に形成された唾液用開口部１０より、図７（ｂ）の矢印ホで
示すように排水カップ９内に流すことができるので、使用時に不快感を与えることがないものである。
【００３３】
図８は第２の遮蔽板７を吸入アタッチメント５に着脱自在に取り付けた場合を示している。第２の遮蔽板７を着脱可能な別部品で構成することによって、第２の遮蔽板７を取り外して吸入アタッチメント５内部の洗浄が可能となり、衛生面で優れたものとなる。
【００３４】
図９は、のど噴霧使用時において第１の遮蔽板６をノズル部３から噴霧されるスチーム噴霧方向Ａと略平行に配置した場合を示している。なお、鼻使用時にはのど・鼻噴霧切替板１５は図４のように回動される。しかして、のど噴霧時において、第１の遮蔽板６を構成する固定板１４とのど・鼻噴霧切替板１５の両方がスチーム噴霧方向Ａと平行に配置することにより、ノズル部３から噴出されるスチーム噴霧方向Ａは図９の矢印Ｇで示す直線的となり、ノズル部３から噴霧するスチームの噴霧量の低下及び噴霧流速の低下を防止できる。これに伴い、噴霧量の低下による吸入効果の低下、噴霧流速の低下による吸入患部（のど）へのスチーム到達性の低下をそれぞれ防止できるようになる。
【００３５】
【発明の効果】
上記のように本発明のうち請求項１記載の発明は、スチーム発生用のボイラーと、ボイラーで生じたスチームを噴霧させると共に給水タンクから供給される吸入液を噴霧させるノズル部と、のど・鼻両用の１つの吸入アタッチメントとを備え、ノズル部からのスチームを上記吸入アタッチメントを用いてのど又は鼻から吸入できるようにしたスチーム式吸入器であって、吸入アタッチメント内にスチーム噴霧方向を制限するための遮蔽板を配置し、この遮蔽板は、ノズル部に近い位置に配置される第１の遮蔽板と、吸入アタッチメントの吸入部に近い位置に配置される第２の遮蔽板とからなると共に、第１の遮蔽板と第２の遮蔽板とをスチーム噴霧方向においてずれた位置に配置し且つスチーム噴霧方向からみて互いに交差するように配列してなり、第２の遮蔽板は、スチーム噴霧方向と垂直に配置されて開口部が穿設され、第２の遮蔽板の外周部に吸入アタッチメントの外周前端部に支持される支持部と、人体の口及び鼻の周辺部にフィットする顔当て部とが一体に構成されてなるから、ノズル部に近い位置と吸入アタッチメントの吸入部に近い位置との両方でスチーム噴霧方向が制限されるので、人体の吸入を行うのど及び鼻の開口部形状に合った必要範囲内でのみ、効果的にスチームを噴霧供給することができる。しかも、人体が吸入を行う位置におけるスチームの拡散を防止できるので、吸入部位以外にスチームが付着するという不快感を同時になくすことができると共に、不必要範囲へのスチームの噴霧を行わないことにより、噴霧効率が高められる結果、スチーム式吸入器の使用性と経済性の両方を向上させることができるものである。
【００３６】
また請求項２記載の発明は、請求項１記載の効果に加えて、第１の遮蔽板と第２の遮蔽板とをスチーム噴霧方向からみて互いに直角に配列してなるから、第１の遮蔽板と第２の遮蔽板とで遮蔽される開口部形状が、スチーム噴霧方向からみて四角形状に形成されるようになり、この四角形状の開口部から人体ののど及び鼻の必要な部位にスチームを偏りなく噴霧させることができる。
【００３７】
また請求項３記載の発明は、請求項１又は請求項２記載の効果に加えて、第１の遮蔽板が、のど・鼻の噴霧切替用として可動自在に構成されているから、第１の遮蔽板を可動させることで、スチーム噴霧方向を吸入者ののど又は鼻の方向に切替えて噴霧可能となり、１種類の吸入アタッチメントでのど・鼻両用に使用できるようになる。
【００３８】
また請求項４記載の発明は、請求項１記載の効果に加えて、第２の遮蔽板に、人体ののど及び鼻の開口部形状とそれぞれ略同形状の開口部を複数形成したから、人体ののど及び鼻の開口部形状に合った必要範囲内のみでスチームを噴霧させることができると共に、のど又は鼻以外の不必要な部位へのスチームの噴霧，付着を防止することができ、吸入者に不快感を与えず、効率的に噴霧できるものである。
【００３９】
また請求項５記載の発明は、請求項１記載の効果に加えて、第２の遮蔽板に１つの開口部を形成し、この開口部が人体ののど及び鼻の開口部形状と略同形状に形成されているから、第２の遮蔽板の開口部を人体ののど及び鼻の開口部形状と略同形状に形成することによって、吸入者の口（のど）と鼻の位置が人により異なるという個人差に対応できるようになり、従って、吸入者が吸入位置を調節したり、第２の遮蔽板に形成された開口部に顔の位置を合わせたりする必要性を低減でき、使用性が一層向上する。
【００４０】
また請求項６記載の発明は、請求項１記載の効果に加えて、吸入アタッチメントの側壁部にスチーム逃がし用開口を形成したから、第２の遮蔽板によって遮蔽される不要なスチームを吸入アタッチメントの側壁部に設けたスチーム逃がし用開口から外部に誘導，排気させることができる。従って、不要なスチームが吸入アタッチメント内に溜まらなくなり、吸入アタッチメント内のスチーム乱流によって引き起こされるスチームの噴霧状態の乱れ（例えば噴霧温度の乱れ、噴霧の方向性の乱れ等）の発生を防止できるものである。
【００４１】
また請求項７記載の発明は、請求項６記載の効果に加えて、第２の遮蔽板が、過剰なスチームをスチーム逃がし用開口に誘導する方向に向けられているから、第２の遮蔽板の開口部より噴出されない不要なスチームを第２の遮蔽板の開口部以外の部位を利用してスチーム逃がし用開口に誘導して、吸入アタッチメントの外部に排気させることができ、簡単な構成でスチームの噴霧状態の乱れを容易に防止できるようになる。
【００４２】
また請求項８記載の発明は、請求項４記載の効果に加えて、第２の遮蔽板に、人体の唾液や過剰なスチーム等を吸入器内の排水カップに戻すための唾液用開口部を形成したから、過剰なスチームが吸入者の顔に当たって流れ落ちる水滴や人体より排出される唾液等を、第２の遮蔽板に設けた唾液用開口部から排水でき、唾液等による不快感を与えることがないものである。
【００４３】
また請求項９記載の発明は、請求項４記載の効果に加えて、第２の遮蔽板を吸入アタッチメントに着脱自在に取り付けたから、第２の遮蔽板を着脱可能な別部品で構成することができ、第２の遮蔽板を取り外して吸入アタッチメント内部の洗浄が可能となり、吸入アタッチメント内部を常に衛生的に保つことができる。
【００４４】
また請求項１０記載の発明は、請求項３記載の効果に加えて、第１の遮蔽板をノズル部から噴霧されるスチーム噴霧方向と略平行に配置したから、のど噴霧時において、便器に第１の遮蔽板によるノズル部から噴霧するスチームの噴霧量の低下及び噴霧流速の低下を防ぐことができ、これに伴い、噴霧量の低下による吸入効果の低下、噴霧流速の低下による吸入患部（のど）へのスチーム到達性の低下をそれぞれ防止できるものである。
【００４５】
また請求項１１記載の発明は、請求項３記載の効果に加えて、第１の遮蔽板に、人体の口の方向にスチームが噴霧されるのを防止するための第３の遮蔽板を付設したから、鼻噴霧時において、第１の遮蔽板で遮蔽されずに吸入者の口の方向にまわりこむスチームを第３の遮蔽板によって遮蔽できるようになり、従って、鼻噴霧時に吸入者の口（のど）の方向へのスチームの流出を防止でき、吸入者の不快感をなくすことができる。
【図面の簡単な説明】
【図１】  本発明の実施形態の一例を示す一部破断側面図である。
【図２】  図１の矢符Ｃからみたスチーム噴霧範囲の説明図である。
【図３】  （ａ）はスチーム噴霧範囲の他例の説明図、（ｂ）は第２の遮蔽板の開口部の他例の説明図、（ｃ）は第２の遮蔽板の開口部の更に他例の説明図である。
【図４】  同上の第１の遮蔽板の可動状態を説明する一部破断側面図である。
【図５】  他の実施形態の側面断面図である。
【図６】  更に他の実施形態を示し、（ａ）は（ｂ）のＥ−Ｅ線断面図、（ｂ）はスチーム式吸入器の側面図である。
【図７】  他の実施形態を示し、（ａ）は（ｂ）の矢符Ｄからみた正面図、（ｂ）は一部破断側面図である。
【図８】  更に他の実施形態の分解側面図である。
【図９】  更に他の実施形態の一部破断側面図である。
【図１０】  従来のスチーム式吸入器を示し、（ａ）はのど用吸入アタッチメントを使用する場合の側面図、（ｂ）は鼻用吸入アタッチメントの側面図である。
【図１１】  他の従来のスチーム式吸入器の使用状態の説明図である。
【図１２】  図１１ののど噴霧使用時を示しており、（ａ）は（ｂ）の矢符Ａからみたスチーム噴霧範囲を説明する正面図、（ｂ）はスチーム噴霧方向を説明する一部破断側面図である。
【図１３】  図１１の鼻噴霧使用時を示しており、（ａ）は（ｂ）の矢符Ｂからみたスチーム噴霧範囲を説明する正面図、（ｂ）はスチーム噴霧方向を説明する一部破断側面図である。
【符号の説明】
１  スチーム式吸入器
２  ボイラー
３  ノズル部
４  本体
５  吸入アタッチメント
５ａ  側壁部
６  第１の遮蔽板
７  第２の遮蔽板
８，８ｃ  開口部
９  排水カップ
１０  唾液用開口部
１１  スチーム逃がし用開口
１３  第３の遮蔽板
Ａ  スチーム噴霧方向
【図１】
0003780704.tif 000002
【図２】
0003780704.tif 000003
【図３】
0003780704.tif 000004
【図４】
0003780704.tif 000005
【図５】
0003780704.tif 000006
【図６】
0003780704.tif 000007
【図７】
0003780704.tif 000008
【図８】
0003780704.tif 000009
【図９】
0003780704.tif 000010
【図１０】
0003780704.tif 000011
【図１１】
0003780704.tif 000012
【図１２】
0003780704.tif 000013
【図１３】
0003780704.tif 000014